(57)【特許請求の範囲】
【請求項１】
少なくとも１枚のフレーム内符号化画面となるＩピクチャー、このＩピクチャーに基づき作成した予測画面となるＰピクチャー、このＰピクチャーに基づき作成したＢピクチャーを有するＧＯＰ(Group Of Pictures)構造の動画像データを予め格納する蓄積装置と、
この蓄積装置から再生される動画像データをデコードする第１及び第２のデコーダと、
前記第１のデコーダのデコード出力を格納し出力する第１の出力バッファと、
前記第２のデコーダのデコード出力を格納し出力する第２の出力バッファと、
これら第１及び第２の出力バッファの各出力を選択的に導出する出力切替部と、
前記蓄積装置の再生処理、前記第１及び第２のデコーダのデコード処理、前記出力切替部の切替処理を制御する制御部とを具備し、
前記制御部は、スタンバイ時に、指定されたＧＯＰのＩピクチャーを基準に１ＧＯＰ前の動画像データを前記蓄積装置から順次再生させて前記第１のデコーダにデコードさせ、当該第１のデコーダによるデコード中に、前記Ｉピクチャーより所定数ピクチャー前の動画像データを前記蓄積装置から順次再生させて前記第２のデコーダにデコードさせておき、順方向再生時または逆方向再生時に前記蓄積装置から動画像データを前記第１及び第２のデコーダにＧＯＰ毎に交互に出力し、前記出力切替部をＧＯＰ毎に交互に切り替える機能を有することを特徴とする動画像再生装置。
【請求項２】
前記制御部は、再生速度に応じて、前記第１及び第２のデコーダそれぞれのデコード出力を間引き、前記第１及び第２の出力バッファに書き込むことを特徴とする請求項１記載の動画像再生装置。
【請求項３】
前記制御部は、再生速度に応じて、前記第１及び第２のデコーダに前記Ｉ、ＰピクチャーまたはＩピクチャーをデコードさせることを特徴とする請求項２記載の動画像再生装置。
【請求項４】
少なくとも１枚のフレーム内符号化画面となるＩピクチャー、このＩピクチャーに基づき作成した予測画面となるＰピクチャー、このＰピクチャーに基づき作成したＢピクチャーを有するＧＯＰ(Group Of Pictures)構造の動画像データを予め格納する蓄積装置と、
この蓄積装置から再生される動画像データをデコードする第１及び第２のデコーダと、
これら第１及び第２のデコーダの各デコード出力を選択的に導出する出力切替部と、
この出力切替部の出力を格納し出力する出力バッファと、
前記蓄積装置の再生処理、前記第１及び第２のデコーダのデコード処理、前記出力切替部の切替処理を制御する制御部とを具備し、
前記制御部は、スタンバイ時に、指定されたＧＯＰのＩピクチャーを基準に１ＧＯＰ前の動画像データを前記蓄積装置から順次再生させて前記第１のデコーダにデコードさせ、当該第１のデコーダによるデコード中に、前記Ｉピクチャーより所定数ピクチャー前の動画像データを前記蓄積装置から順次再生させて前記第２のデコーダにデコードさせておき、順方向再生時または逆方向再生時に前記蓄積装置から動画像データを前記第１及び第２のデコーダにＧＯＰ毎に交互に出力し、前記出力切替部をＧＯＰ毎に交互に切り替える機能を有することを特徴とする動画像再生装置。
【請求項５】
前記制御部は、再生速度に応じて、前記第１及び第２のデコーダそれぞれのデコード出力を間引き、前記出力バッファに書き込むことを特徴とする請求項４記載の動画像再生装置。
【請求項６】
前記制御部は、再生速度に応じて、前記第１及び第２のデコーダに前記Ｉ、ＰピクチャーまたはＩピクチャーをデコードさせることを特徴とする請求項５記載の動画像再生装置。
【発明の詳細な説明】
【技術分野】
【０００１】
この発明は、例えば放送番組の送出素材を格納する放送番組送出システムに適用され、蓄積装置に格納された素材を順方向再生または逆方向再生させて確認するための動画像再生装置に関する。
【背景技術】
【０００２】
周知のように、放送番組送出システムにあっては、放送番組の送出素材を予め蓄積サーバに格納しておき、自動番組送出制御装置（ＡＰＣ）からの指示に従って該当する素材を再生し、オンエアを行うようになっている。このようなオンエア処理において、通常、オンエア前にオンエア順序に従った素材の確認作業が行われている。
【０００３】
この素材確認作業は、オペレータが蓄積サーバから順次オンエア素材を読み出し、順方向再生、早送り再生、逆方向再生、飛び越し再生によってプレビューを行っている。また、順方向再生から逆方向再生に切り替えた場合でも、円滑な逆再生画像を得る手法も提案されている（例えば、特許文献１）。
【特許文献１】特開２００６−３０３６５２公報。
【発明の開示】
【発明が解決しようとする課題】
【０００４】
ところで、上記素材確認作業において、スタンバイ時から逆方向再生を行う場合、逆再生画像が得られるまでにしばらく時間がかかることになり、この時間の短縮を図るための手法が、従来から強く望まれている。
【０００５】
そこで、この発明の目的は、短時間で動画像信号の逆方向再生を可能とする動画像再生装置を提供することにある。
【課題を解決するための手段】
【０００６】
上記目的を達成するために、この発明に係わる動画像再生装置は、少なくとも１枚のフレーム内符号化画面となるＩピクチャー、このＩピクチャーに基づき作成した予測画面となるＰピクチャー、このＰピクチャーに基づき作成したＢピクチャーを有するＧＯＰ(Group Of Pictures)構造の動画像データを予め格納する蓄積装置と、この蓄積装置から再生される動画像データをデコードする第１及び第２のデコーダと、第１のデコーダのデコード出力を格納し出力する第１の出力バッファと、第２のデコーダのデコード出力を格納し出力する第２の出力バッファと、これら第１及び第２の出力バッファの各出力を選択的に導出する出力切替部と、蓄積装置の再生処理、第１及び第２のデコーダのデコード処理、出力切替部の切替処理を制御する制御部とを具備し、制御部は、スタンバイ時に、指定されたＧＯＰのＩピクチャーを基準に１ＧＯＰ前の動画像データを蓄積装置から順次再生させて第１のデコーダにデコードさせ、当該第１のデコーダによるデコード中に、Ｉピクチャーより所定数ピクチャー前の動画像データを蓄積装置から順次再生させて第２のデコーダにデコードさせておき、順方向再生時または逆方向再生時に蓄積装置から動画像データを第１及び第２のデコーダにＧＯＰ毎に交互に出力し、出力切替部をＧＯＰ毎に交互に切り替える機能を備えるようにしたものである。
【０００７】
この構成によれば、第１及び第２のデコーダを用いて、スタンバイ時に指定されたＧＯＰのＩピクチャーを基準に１ＧＯＰ前の動画像データを蓄積装置から順次再生させて第１のデコーダにデコードさせて第１の出力バッファに格納しておき、この第１のデコーダによるデコード中に、Ｉピクチャーより所定数ピクチャー前の動画像データを蓄積装置から順次再生させて第２のデコーダにデコードさせて第２の出力バッファに格納しておくようにしている。
【０００８】
従って、逆方向再生開始時に出力切替部をＧＯＰ毎に切り替えるだけで逆方向再生開始から動画像出力までに要する時間を短縮することができる。また、順方向再生時にも、復号遅延を待たずに、即座に動画像を出力することができる。
【発明の効果】
【０００９】
以上詳述したようにこの発明によれば、短時間で動画像信号の逆方向再生を可能とする動画像再生装置を提供することができる。
【発明を実施するための最良の形態】
【００１０】
以下、この発明の実施形態について図面を参照して詳細に説明する。  
（第１の実施形態）  
図１は、この発明に係る動画像再生装置の第１の実施形態の構成を示すものである。
【００１１】
図１において、蓄積装置１１は予めオンエア用放送番組の素材データ（動画像データ）を格納しておくもので、ＡＰＣ１２から与えられるオンエア指示信号に応じて、該当する素材データを選択的に再生する。この再生データは、デコーダ１３，１４により画像信号にデコードされてセレクタ１５に導かれ、選択的に出力バッファ１６に格納され、コントローラ１７により適宜出力される。
【００１２】
一方、コントローラ１７は、オペレータの操作入力指示に従い、上記蓄積装置１１の素材データの書き込み／読み出し制御、デコーダ１３，１４のデコード制御、セレクタ１５の切替制御を行うものである。
【００１３】
上記構成において、以下にコントローラ１７による各制御処理について説明する。  
すなわち、上記動画像再生装置では、蓄積装置１１から再生されたＧＯＰ構造の素材データ列を、デコーダ１３，１４に入力する。
【００１４】
参考に、ＧＯＰ構造を図２に示す。このＧＯＰ構造ではフレーム内符号化によるＩ（Intra）ピクチャー、フレーム間順方向予測符号化によるＰ(Predictive)ピクチャー、双方向予測符号化によるＢ(Bidirectionally Predictive)ピクチャーの３タイプのピクチャーを有する。その配列順序はＩＢＢＰＢＢＰ…となっており、一つのＧＯＰ期間では通常１５フレームに設定されている。このＧＯＰ構造がくずれると、画像再生時に画面が乱れたり、再生が途絶える等の不具合を生じる。
【００１５】
オープンＧＯＰの場合、Ｉピクチャーより前にあるＢピクチャーは双方向予測のため、直前のＧＯＰの画像データがないとデコードできない。図２において、高速サーチして出力バッファ１６のＧＯＰ２のＩ０２フレームでスタンバイ状態になっているとする。Ｂ００,Ｂ０１フレームは、直前のＧＯＰ１のＰ１４フレームのデータがないとデコードできず、さらにＰ１４は、その前のＩ０２から順番にデコードしていかないとデコードできない。したがって、逆方向再生開始してＢ０１が表示されるまでは、約０．５秒(１５フレーム)の遅れが発生する。
【００１６】
そこで、本実施形態では、スタンバイ状態になったらすぐに前後１ＧＯＰの画像をデコードして出力バッファ１６に蓄積しておく。すなわち、２つのデコーダ１３，１４を同時に動作させ、１ＧＯＰ毎に同時に処理し、次のＧＯＰのＩピクチャーの直前までオーバーラップしてデコードする。つまり、スタンバイ位置にあるＩ０２ピクチャーを基準に、１ＧＯＰ前の素材データを蓄積装置１１から再生させてデコーダ１４にデコードさせ、このデコーダ１４のデコード中に、スタンバイ位置のＩ０２ピクチャーから２フレーム前のＢ００ピクチャーを蓄積装置１１から再生させてデコーダ１３にデコードさせるようにしている。
【００１７】
そして、最初のＧＯＰのＩピクチャー直前までは破棄して、セレクタ１５をＧＯＰ毎に切り替えることで出力バッファ１６にＧＯＰ毎に交互に書き込む。
【００１８】
以後、書き込みが終了していれば、逆方向再生開始からすぐに動画像が出力バッファ１６から出力される。順方向再生もデコード遅延を待たずに、すぐに動画像が出力バッファ１６から出力される。
【００１９】
出力バッファ１６はリングバッファになっており、左端まで行ったら右端へポインタが移動する。再生が開始されたら、現在出力中のＧＯＰの再生方向で次のＧＯＰをデコードし、出力バッファ１６に書き込んでおく。
【００２０】
順方向・逆方向の１．１倍速から１．９倍速再生を行う場合、図３に示すように、各デコーダ１３，１４の出力を再生速度に応じて間引き、出力バッファ１６に書き込む。出力バッファ１６から通常の速度で出力すると１．１倍速から１．９倍速で再生される。
【００２１】
２倍速以上で再生する場合は、Ｂピクチャーをデコードせず、Ｉ，Ｐピクチャーのみデコードするようにコントローラ１７にて各デコーダ１３，１４を制御することにより実現できる。さらに高速の場合には、Ｉピクチャーのみデコードするようにコントローラ１７にて各デコーダ１３，１４を制御することにより実現できる。
【００２２】
以上のように上記第１の実施形態では、２つのデコーダ１３，１４を用いて、スタンバイ時に指定されたＧＯＰのＩピクチャーを基準に１ＧＯＰ前の素材データを蓄積装置１１から順次再生させデコーダ１４にデコードさせて出力バッファ１６に書き込んでおき、このデコーダ１４によるデコード中に、基準Ｉピクチャーより２ピクチャー前の素材データを蓄積サーバ１１から順次再生させデコーダ１３にデコードさせて出力バッファ１６に書き込んでおくようにしている。
【００２３】
従って、逆方向再生開始時に、逆方向再生開始から動画像出力までに要する時間を短縮することができる。また、順方向再生時にも、デコード遅延を待たずに、即座に動画像を出力することができる。
【００２４】
（第２の実施形態）  
図４は、この発明に係る動画像再生装置の第２の実施形態の構成を示すものである。なお、図４において、上記図１と同一部分には同一符号を付して詳細な説明を省略する。
【００２５】
すなわち、第２の実施形態では、デコーダ１３の出力段に出力バッファ１８を、デコーダ１４の出力段に出力バッファ１９を設けるようにしている。
【００２６】
蓄積装置１１からの再生データは、デコーダ１３，１４により画像信号にデコードされる。そして、デコーダ１３のデコード出力は、出力バッファ１８に格納され、適宜出力される。また、デコーダ１４のデコード出力は、出力バッファ１９に格納され、適宜出力される。
【００２７】
出力バッファ１８，１９の出力はセレクタ１５によって選択的に導出される。セレクタ１５は、コントローラ１７によってＧＯＰ単位で切替制御される。
【００２８】
このような第２の実施形態であっても、上記第１の実施形態と同様に、逆方向再生開始時に、逆方向再生開始から動画像出力までに要する時間を短縮することができる。また、順方向再生時にも、デコード遅延を待たずに、即座に動画像を出力することができる。
【００２９】
（その他の実施形態）  
なお、この発明は上記各実施形態に限定されることなく、動画像再生装置の構成、再生制御手順等についても、この発明の要旨を逸脱しない範囲で種々変形して実施できる。
【図面の簡単な説明】
【００３０】
【図１】この発明に係る動画像再生装置の第１の実施形態の構成を示すブロック図。
【図２】同第１の実施形態における再生動作を説明するために示すタイミング図。
【図３】同第１の実施形態において、再生速度に応じた間引きを行った際の再生動作を説明するために示すタイミング図。
【図４】この発明に係る動画像再生装置の第２の実施形態の構成を示すブロック図。
【符号の説明】
【００３１】
１１…蓄積装置、１２…ＡＰＣ、１３，１４…デコーダ、１５…セレクタ、１６，１８、１９…出力バッファ、１７…コントローラ。
【図１】
0004575417.tif 000002
【図２】
0004575417.tif 000003
【図３】
0004575417.tif 000004
【図４】
0004575417.tif 000005